(57)【特許請求の範囲】
【請求項１】
什器本体を支持する支持脚部材であって、
前記什器本体の下端部に設けられ、床面に沿って配置されるフレーム部と、
前記フレーム部において前記什器本体から離間した側の先端部に設けられ、前記床面に接地するローラを有したキャスター部材と、
前記フレーム部の上面部に連続して前記什器本体から離間する方向に突出して形成され、前記キャスター部材の上方を覆うように設けられ、前記キャスター部材を支持するキャスター支持部と、を備え、
前記フレーム部は、管状をなし、
前記キャスター部材は、前記フレーム部の端部から前記フレーム部内に挿入される挿入部をさらに備えることを特徴とする什器本体の支持脚部材。
【請求項２】
什器本体と、
前記什器本体の下端部に、床面に沿うよう設けられて、前記什器本体を前記床面上で支持する請求項１に記載の什器本体の支持脚部材と、を備えることを特徴とする什器。
【請求項３】
前記什器本体は、
パネル状の基材と、
前記基材の端部に沿って形成され、前記基材の内方に向けて凹んだ溝と、を備えていることを特徴とする請求項２に記載の什器。
【請求項４】
前記支持脚部材は、前記基材の側端部および下端部の少なくとも一方の前記溝の内部に固定された支持脚取付ブラケットを介して前記什器本体の下端部に設けられていることを特徴とする請求項３に記載の什器。
【発明の詳細な説明】
【技術分野】
【０００１】
本発明は、床面上に設置される什器本体の支持脚部材、什器に関する。
【背景技術】
【０００２】
オフィスや公共施設、商業施設等の空間においては、施設内に形成された大空間の一部を小空間に区画することによって、空間利用における自由度を高めることが求められている。そこで、空間内に、間仕切り用のパネルを設けることが広く行われている。このパネルにより空間の一部を仕切り、周囲からの視線や音をある程度遮ることで、それぞれの空間を所望の目的に用いることができる。
【０００３】
また、各種の掲示物や展示物、ホワイトボード等を保持するために、床面上にパネルを立てて設置することもある。
【０００４】
このようなパネルには、床面に自立した状態で設置できるよう、床面に直交して配置される板状のパネル体と、パネル体の下部に設けられた脚体と、を備えたものがある。脚体は、パネル体の表面に交差する方向に向かって床面に沿って延びるよう設けられている。
特許文献１，２には、このようなパネルにおいて、必要に応じて容易に移動できるよう、床面に接するローラを備えたキャスターを脚体に備えた構成が開示されている。
【０００５】
ところで、脚体がパネル体から突出していると、パネルの周囲を歩行したり、パネルの周囲に物品を置く際の妨げになる。
【０００６】
そこで、例えば特許文献３には、脚体の先端部に、薄板状の取付板を設け、この取付板の下側に小径のローラを備えたキャスター本体を設けた構成が開示されている。このような構成によれば、小径のローラを用いたキャスター本体を備えることで、脚体の高さを抑え、歩行や周囲に物品を置く際に妨げになるのを抑えている。
また、特許文献３には、取付板の上側に、取付板およびキャスター本体を覆うカバーが設けられている。
【先行技術文献】
【特許文献】
【０００７】
【特許文献１】実用新案登録第３１７６６７０号公報
【特許文献２】特許第４２０２８９３号公報
【特許文献３】特開２００１−３７５６６号公報
【発明の概要】
【発明が解決しようとする課題】
【０００８】
しかしながら、特許文献３に開示された構成においては、キャスター本体を支持する取付板が、脚体の先端において下側から前方に延びて設けられている。したがって、実質的に、小径のローラを用いたキャスター本体によって、脚体の高さが抑えられているに過ぎず、さらなる改善の余地がある。
また、キャスター本体は、取付板に形成された開口部に挿入されて保持されている。このため、パネルが倒れる方向に大きな力が作用した場合に、取付板が変形しやすく、パネルの安定性が損なわれてしまう。これに対し、開口部の周囲に環状をなした取付板の強度を高めようとすると、開口部の周囲の環状の部分の部材の幅を大きくする必要がある。すると、外周側取付板は、キャスター本体に対して外周側に張り出してしまう。その結果、脚体に対し、取付板が幅方向および先端部側に突出し、外観が損なわれるとともに、歩行や物品を置く際の妨げにもなりやすい。
そこでなされた本発明の目的は、パネルの安定性を損なうことなく、脚体の高さを有効に抑えつつ、外観を向上させるとともに歩行や周囲に物品を置く際に妨げとなるのを防ぐことのできる什器本体の支持脚部材、什器を提供することである。
【課題を解決するための手段】
【０００９】
本発明は、上記課題を解決するため、以下の手段を採用する。
この発明に係る什器本体の支持脚部材は、什器本体を支持する支持脚部材であって、前記什器本体の下端部に設けられ、床面に沿って配置されるフレーム部と、前記フレーム部において前記什器本体から離間した側の先端部に設けられ、前記床面に接地するローラを有したキャスター部材と、前記フレーム部の上面部に連続して前記什器本体から離間する方向に突出して形成され、前記キャスター部材の上方を覆うように設けられ、前記キャスター部材を支持するキャスター支持部と、を備え、前記フレーム部は、管状をなし、前記キャスター部材は、前記フレーム部の端部から前記フレーム部内に挿入される挿入部をさらに備えることを特徴とする。
【００１０】
このように、キャスター部材を支持するキャスター支持部は、フレーム部の上面部に連続して形成され、その下側にキャスター部材が配置されるので、支持脚部材の高さを抑えることが可能となる。
また、キャスター支持部は、フレーム部の上面部に連続し、キャスター部材の上方を覆うように設けられているため、例えば開口部が形成されて環状をなした従来の取付板に比較し、キャスター支持部を外周側に張り出させることなく、高い強度を確保することができる。
また、キャスター部材の挿入部がフレーム部内に挿入されることで、キャスター部材を、フレーム部に対して、より強固に固定することができる。
【００１６】
この発明に係る什器は、什器本体と、前記什器本体の下端部に、床面に沿うよう設けられて、前記什器本体を前記床面上で支持する上記したような什器本体の支持脚部材と、を備える。
このように構成することで、支持脚部材の高さを抑えつつ、キャスター部材およびキャスター支持部が設けられた支持脚部材の先端部を高い強度を有したものとすることができる。
【００１７】
また、この発明に係る什器は、上記什器において、前記什器本体は、パネル状の基材と、前記基材の端部に沿って形成され、前記基材の内方に向けて凹んだ溝と、を備えているようにしてもよい。
そして、前記支持脚部材は、前記基材の側端部および下端部の少なくとも一方の前記溝の内部に固定された支持脚取付ブラケットを介して前記什器本体の下端部に設けられているようにしてもよい。
これにより、支持脚取付ブラケットの少なくとも一部が溝内に収容され、支持脚部材の取付部分が目立たなくなる。
【発明の効果】
【００１８】
この発明に係る什器本体の支持脚部材、什器によれば、パネルの安定性を損なうことなく、脚体の高さを有効に抑えつつ、外観を向上させるとともに歩行や周囲に物品を置く際に妨げとなるのを防ぐことができる。
【図面の簡単な説明】
【００１９】
【図１】この発明の第１の実施形態における什器の全体構成を示す斜視図である。
【図２】第１の本実施形態におけるパネル体の構成を示す斜視展開図である。
【図３】パネル体に対する支持脚部材の取付構造を示す斜視展開図である。
【図４】第１の実施形態にかかる支持脚部材の側面図である。
【図５】支持脚部材の一部を斜め下方から見た図である。
【図６】支持脚部材を構成する上部フレームを斜め下方から見た図である。
【図７】上部フレームに下部フレームを組み込んだ状態を斜め下方から見た図である。
【図８】キャスター部材を示す図であり、（ａ）はキャスター部材を斜め下方から見た図、（ｂ）はキャスター部材を斜め上方から見た図である。
【図９】第２の実施形態にかかる支持脚部材の一部を斜め下方から見た図である。
【図１０】第１および第２の実施形態の変形例を示す斜視図である。
【発明を実施するための形態】
【００２０】
以下、添付図面を参照して、本発明による什器本体の支持脚部材、什器を実施するための形態を説明する。しかし、本発明はこれらの実施形態のみに限定されるものではない。
【００２１】
（第１の実施形態）
図１は、第１の実施形態における什器の全体構成を示す斜視図である。
図１に示すように、スタンドパネル（什器）１０は、パネル体（什器本体）１１と、パネル体１１の下端部に設けられた支持脚部材１００Ａと、を備えている。
【００２２】
（パネル体）
図２は、本実施形態におけるパネル体１１の構成を示す斜視展開図である。
図２に示すように、スタンドパネル１０を構成する各パネル体１１は、パネル基材（基材）１２と、パネル基材１２の両面に沿って設けられたクッション材（軟性材）１３と、パネル基材１２およびクッション材１３を覆う表皮材１４と、固定部材３０と、を備えている。
【００２３】
（パネル基材）
パネル基材１２は、パネル状の芯材１５と、芯材１５の外周部に沿って設けられたフレーム２０と、芯材１５およびフレーム２０の両面を覆うように設けられたベースシート１８と、を備えている。
【００２４】
芯材１５は、例えば紙系材料、樹脂系材料、木質系材料等から形成されている。この芯材１５は、なるべく軽量とするのが好ましい。そこで、本実施形態では、芯材１５は、紙系材料から形成され、板厚方向に貫通する孔１５ｈが多数並設された、例えば断面六角形状の孔１５ｈが複数千鳥状に組み合わされたハニカム構造とされている。
【００２５】
（フレーム）
この芯材１５の外周部には、フレーム２０が設けられている。フレーム２０は、芯材１５の四辺に沿って設けられた枠材２１Ａ，２１Ｂ，２１Ｃ，２１Ｄを備えている。各枠材２１Ａ，２１Ｂ，２１Ｄ，２１Ｄは、金属系材料、樹脂系材料等から形成されている。
枠材２１Ａ，２１Ｂは、芯材１５において互いに対向する２辺に沿って上下方向に延在し、パネル体１１の幅方向両側に設けられている。枠材２１Ｃ，２１Ｄは、枠材２１Ａ，２１Ｂに直交して横方向に延在し、パネル体１１の上下方向両側に設けられている。これら枠材２１Ａ，２１Ｂと枠材２１Ｃ，２１Ｄとは、Ｌ字状のブラケット２２を介し、ボルト（不図示）、あるいは溶接、接着等によって接合されている。これら枠材２１Ａ，２１Ｂ，２１Ｃ，２１Ｄによって、全体として矩形状をなしたフレーム２０が形成されている。
【００２６】
各枠材２１Ａ，２１Ｂ，２１Ｃ，２１Ｄは、断面略Ｕ字状で、パネル基材１２の内方に向けて凹んだ溝２５を有している。このようにして、パネル体１１は、その外周端部１１ｓ（図３参照）に沿って連続し、パネル基材１２の内方に向けて凹んだ溝２５を有している。
【００２７】
図３は、パネル体１１に対する支持脚部材の取付構造を示す斜視展開図である。
ここで、図３に示すように、Ｌ字状のブラケット２２は、第一プレート部２２ａと、第一プレート部２２ａに直交する第二プレート部２２ｂと、第一プレート部２２ａおよび第二プレート部２２ｂに沿ってＬ字状のブラケット２２の屈曲方向内側に設けられたリブ部２２ｃとが一体に形成されている。
【００２８】
なおここで、図２では、平面板状のパネル体１１の例を示したが、パネル体１１を平面視または側面視した状態で略Ｌ字状、略Ｃ字状等としてもよい。その場合、フレーム２０の上下の枠材２１Ｃ，２１Ｄまたは左右の枠材２１Ａ，２１Ｂを，パネル体１１の形状に合わせて折曲または湾曲させる。
【００２９】
フレーム２０および芯材１５を覆うように、芯材１５の両面には、シート状のベースシート１８が設けられている。ベースシート１８は、例えばボール紙等から形成されている。
【００３０】
（クッション材）
クッション材１３は、パネル基材１２の表面を形成するベースシート１８に沿って設けられている。クッション材１３は、ベースシート１８を介して、芯材１５の全体を覆うように設けられている。
このクッション材１３は、柔軟性および弾性を有した材料、例えば発泡ウレタン材等から形成されている。
【００３１】
クッション材１３には、複数の貫通孔１６が形成されている。貫通孔１６は、例えば、上下方向を長軸方向とした長円形状とされている。そして、クッション材１３の外表面１３ｆには、複数の貫通孔１６が、上下方向および上下方向に直交する横方向に、間隔を空けて配列されている。
各貫通孔１６は、クッション材１３においてパネル基材１２とは反対側を向く外表面１３ｆからパネル基材１２側に対向する対向面１３ｇまで、クッション材１３の厚さ方向に貫通して形成されている。
【００３２】
（表皮材）
表皮材１４は、クッション材１３の全体を覆うよう設けられている。表皮材１４が、クッション材１３に形成された複数の貫通孔１６に沿うことで、パネル体１１の表面には、複数の長円形状の凹部１７（図１参照。以下同じ。）が形成されている。そして、各凹部１７において、表皮材１４は、貫通孔１６を通して、パネル基材１２の表面を形成するベースシート１８に接着されている。
ここで、表皮材１４は、例えばポリエステル等、弾性変形可能な材質で形成され、伸長した状態でクッション材１３及びパネル基材１２を覆っている。
【００３３】
（固定部材）
固定部材３０は、溝２５に嵌め込まれている。クッション材１３および表皮材１４の外周端部は、溝２５の内側に巻き込まれている。固定部材３０は、溝２５内側に巻き込まれたクッション材１３および表皮材１４の外周端部を、溝２５の内周面と固定部材３０の外周面との間に挟み込んでいる。これにより、クッション材１３および表皮材１４の外周端部をフレーム２０に固定している。
【００３４】
ここで、固定部材３０は、矩形状のパネル基材１２の外周部の直線部分に配置される直線部固定部材３０Ｓと、矩形状のパネル基材１２の外周部のコーナー部に配置されるコーナー部固定部材３０Ｃと、を備えている。
【００３５】
パネル体１１において、スタンドパネル１０の端部、つまり他のパネル体１１が連結されない端部においては、コーナー部固定部材３０Ｃは、溝２５に対し、コーナーキャップ４０によって固定されている。
【００３６】
また、コーナーキャップ４０は、ボルト４５により、コーナー部固定部材３０Ｃ、枠材２１Ｃ、ブラケット２２と一体に締結されている。
【００３７】
（支持脚）
図３に示すように、上記したようなパネル体１１の下部両端部のコーナー部には、それぞれ、支持脚取付ブラケット５０が装着されている。この支持脚取付ブラケット５０の下端部には、床面に接地する支持脚部材１００Ａが取り付けられている。
支持脚取付ブラケット５０は、下部支持部５１と、下部支持部５１の一端から上方に延びる側部支持部５２と、下部支持部５１の下側に取り付けられた支持脚取付部５３と、を備えている。
【００３８】
下部支持部５１および側部支持部５２は、パネル基材１２の下部および側部の端部で溝２５内に収容されている。下部支持部５１および側部支持部５２は、ボルト４８が挿通されるボルト挿通孔５４が形成されている。支持脚取付ブラケット５０は、ボルト挿通孔５４に挿通されるボルト４８により、ブラケット２２の第二プレート部２２ｂおよび第一プレート部２２ａに固定されている。
【００３９】
支持脚取付部５３は、前記ボルト４８により、下部支持部５１とともに、ブラケット２２の第二プレート部２２ｂに固定されている。
また、支持脚取付部５３には、溝２５が連続する方向に間隔をあけて複数、例えば２つのネジ孔５３ｈが形成されている。
【００４０】
支持脚部材１００Ａは、パネル体１１の表面に対して直交する方向（パネル体１１の板厚方向）に沿って、パネル体１１から一方の側と他方の側とに離間する方向に、それぞれ突出するよう設けられている。
【００４１】
図４は、第１の実施形態にかかる支持脚部材の側面図である。図５は、支持脚部材の一部を斜め下方から見た図である。図６は、支持脚部材を構成する上部フレームを斜め下方から見た図である。図７は、上部フレームに下部フレームを組み込んだ状態を斜め下方から見た図である。図８は、キャスター部材を示す図であり、（ａ）はキャスター部材を斜め下方から見た図、（ｂ）はキャスター部材を斜め上方から見た図である。
図４、図５に示すように、支持脚部材１００Ａは、上部フレーム（フレーム部）１１０と、下部フレーム（フレーム部）１２０と、支持脚部材１００Ａの両端部１００ａ，１００ｂにそれぞれ設けられたキャスター部材１３０と、を備えている。
【００４２】
図６に示すように、上部フレーム１１０は、金属系材料から形成されている。上部フレーム１１０は、上部平面部１１１と、側部平面部１１２と、下部折り返し部１１３と、を一体に備えている。
上部平面部１１１は、支持脚部材１００Ａ（図５参照。以下同じ。）の上面を形成する。側部平面部１１２は、上部平面部１１１の幅方向両側から、それぞれ上部平面部１１１に直交して下方に向かって垂下して形成されている。
下部折り返し部１１３は、側部平面部１１２の下端から、対向する他方の側部平面部１１２に向かって上部平面部１１１と平行に延出して形成されている。
上部フレーム１１０は、これら上部平面部１１１と、両側の側部平面部１１２，１１２と、下部折り返し部１１３，１１３とから、一方の端部１１０ａと他方の端部１１０ｂとを結ぶ長手方向に直交する断面形状が略Ｃ字状をなしている。
【００４３】
上部フレーム１１０の上部平面部１１１には、上部フレーム１１０の長手方向中央部に、支持脚部材１００Ａを支持脚取付ブラケット５０に取り付けるためのネジ挿通孔１１０ｈが、上部平面部１１１の幅方向に間隔をあけて、前記ネジ孔５３ｈと同じ数だけ形成されている。
【００４４】
上部フレーム１１０の両端部（先端部）１１０ａ，１１０ｂには、それぞれ、支持プレート部（キャスター支持部）１１５が形成されている。支持プレート部１１５は、上部平面部１１１に連続し、側部平面部１０２の端部１０２ａに対し、上部フレーム１１０の長手方向外方に向かって突出するよう形成されている。この支持プレート部１１５は、上部平面部１１１の両側端１１１ｓ，１１１ｓに連続し、上部フレーム１１０の長手方向に沿って平面視直線状に延びる直線部１１５ｓ，１１５ｓと、これら直線部１１５ｓ，１１５ｓどうしを平面視円弧状に結ぶ円弧状部１１５ｃと、を有した外周形状とされている。このようにして、上部フレーム１１０の両端部１１０ａ，１１０ｂは、支持プレート部１１５の円弧状部１１５ｃによって、平面視した状態で半円状に突出した形状なしている。
【００４５】
支持プレート部１１５の外周部には、直線部１１５ｓ，１１５ｓおよび円弧状部１１５ｃに沿って、下方に向かって延びる外周壁部１１６が一体に形成されている。この外周壁部１１６の下端部１１６ｂは、側部平面部１１２の上下方向の中間部に位置している。
【００４６】
上部フレーム１１０の両端部１１０ａ，１１０ｂには、側部平面部１０２の端部１０２ａよりも長手方向外方に、これら支持プレート部１１５と、その外周部に形成された外周壁部１１６とによって囲まれた収容凹部１１７が形成されている。収容凹部１１７は、その内方に、後述するキャスター部材１３０の一部を収容することができる。
【００４７】
図７に示すように、下部フレーム１２０は、金属系材料から形成されている。下部フレーム１２０は、下部平面部１２１と、側部平面部１２２と、上部折り返し部１２３と、を一体に備えている。この下部フレーム１２０は、支持脚部材１００Ａの長手方向に沿った寸法（長さ）が、側部平面部１１２，１１２および下部折り返し部１１３，１１３とほぼ同じに形成されている。
【００４８】
下部平面部１２１は、支持脚部材１００Ａの下面の一部を形成する。下部平面部１２１は、上部フレーム１１０の下部折り返し部１１３，１１３の間に挿入配置されるよう、下部折り返し部１１３，１１３の間隔よりもわずかに小さい幅寸法に形成されている。
下部平面部１２１には、下部フレーム１２０の長手方向中央部に、支持脚部材１００Ａを支持脚取付ブラケット５０に取り付けるためのネジ挿通孔１２０ｈが、下部平面部１２１の幅方向に間隔をあけて、前記ネジ孔５３ｈと同じ数だけ形成されている。
【００４９】
側部平面部１２２は、下部平面部１２１の幅方向両側から、それぞれ下部平面部１２１に直交して上方に向かって延出して形成されている。
上部折り返し部１２３は、側部平面部１２２の上端から、対向する他方の側部平面部１２２に向かって下部平面部１２１と平行に延出して形成されている。
【００５０】
下部フレーム１２０は、これら下部平面部１２１と、両側の側部平面部１２２，１２２と、上部折り返し部１２３，１２３とから、一方の端部１２０ａと他方の端部１２０ｂとを結ぶ長手方向に直交する断面形状が略Ｃ字状をなしている。
【００５１】
この下部フレーム１２０は、上部フレーム１１０の下部折り返し部１１３，１１３の間から、上部フレーム１１０の上部平面部１１１と、側部平面部１１２，１１２と、下部折り返し部１１３，１１３とによって囲まれた、上部フレーム１１０の内側空間に収容される。下部フレーム１２０が上部フレーム１１０の内側に収容された状態で、下部フレーム１２０の上部折り返し部１２３，１２３が上部フレーム１１０の上部平面部１１１の下面に突き当たり、下部平面部１２１が、下部折り返し部１１３，１１３とほぼ同一平面内で連続する。
上部フレーム１１０と下部フレーム１２０は、溶接、ボルト・ナット、リベット等の接合手段により、一体に接合されている。
【００５２】
図８（ａ）、（ｂ）に示すように、キャスター部材１３０は、ケース１３１と、キャスター本体１３２と、を備えている。
【００５３】
ケース１３１は、樹脂系材料から形成されている。ケース１３１は、ケース本体１３３と、バンパー部１３４と、保持凹部１３５と、固定プレート部１３６と、を備えている。
【００５４】
ケース本体１３３は、上部フレーム１１０の収容凹部１１７に収容される。ケース本体１３３は、収容凹部１１７（図６参照。以下同じ。）に収容された状態で、上部フレーム１１０（図６参照。以下同じ。）の支持プレート部１１５（図６参照）に対向する平面部１３３ａと、平面部１３３ａの外周部から下方に向けて延び、外周壁部１１６（図６参照。以下同じ。）の内周面に沿う外周側面部１３３ｂと、を一体に備えている。
外周側面部１３３ｂは、互いに平行であって平面視直線状に延びる側面部１３３ｓ，１３３ｓと、側面部１３３ｓ，１３３ｓの一方の端部どうしを結び、平面視円弧状に膨出する円弧状側面部１３３ｔと、を備え、平面視略Ｕ字状に形成されている。
外周側面部１３３ｂには、周方向に間隔をあけて複数のリブ１３３ｃが外周側に突出して形成されている。これらのリブ１３３ｃは、ケース本体１３３を上部フレーム１１０の収容凹部１１７に挿入したときに、上部フレーム１１０の外周壁部１１６の内周面に突き当たるようになっている。これらのリブ１３３ｃにより、ケース本体１３３が収容凹部１１７内でガタつくのを抑えている。
【００５５】
バンパー部１３４は、ケース本体１３３の外周側面部１３３ｂの下側に形成され、外周側面部１３３ｂよりも外周側に突出するよう形成されている。図４に示すように、バンパー部１３４は、ケース本体１３３を上部フレーム１１０の収容凹部１１７に嵌め込んだ状態で、上部フレーム１１０の外周壁部１１６よりも外周側に突出するよう形成されている。
【００５６】
図８に示すように、保持凹部１３５は、キャスター部材１３０の下面側に形成されている。保持凹部１３５は、内周形状が円形で、その内側にキャスター本体１３２が収容される。保持凹部１３５は、キャスター本体１３２を、ベアリング等を介して鉛直軸周りに回転自在に保持する。キャスター本体１３２には、水平軸周りに回転自在に支持されたローラ１３８が設けられている。ローラ１３８は、その下部の一部のみが、キャスター本体１３２の下面１３２ｂに対して下方に突出させて設けられている。
【００５７】
固定プレート部１３６は、ケース本体１３３において、外周側面部１３３ｂにおける円弧状側面部１３３ｔとは反対側の端部１３３ｄに形成されている。ケース本体１３３の端部１３３ｄは、側面部１３３ｓ，１３３ｓの他方の端部どうしを平面視直線状に結ぶよう形成されている。固定プレート部１３６は、端部１３３ｄから、保持凹部１３５の外周側（対向するキャスター部材１３０側）に向けて突出して形成されている。固定プレート部１３６は、ケース本体１３３の平面部１３３ａと平行な板状をなしている。固定プレート部１３６は、ケース本体１３３を上部フレーム１１０の収容凹部１１７に収容した状態で、下部フレーム１２０（図７参照。以下同じ。）の下部平面部１２１（図７参照。以下同じ。）の下面に沿うよう形成されている。
固定プレート部１３６には、貫通孔１３６ｈが形成されている。図７に示すように、下部フレーム１２０の下部平面部１２１には、貫通孔１３６ｈ（図８参照。以下同じ。）に対向する位置に、ネジ穴１２１ｈが形成されている。
【００５８】
図４から図８に示すように、このようなケース１３１において、ケース本体１３３を上部フレーム１１０の収容凹部１１７に収容する。そして、固定ネジ１３７を、固定プレート部１３６の貫通孔１３６ｈを通して下部フレーム１２０のネジ穴１２１ｈにねじ込む。これにより、ケース１３１が、上部フレーム１１０および下部フレーム１２０に装着される。ケース１３１を上部フレーム１１０および下部フレーム１２０に装着した状態で、バンパー部１３４が、上部フレーム１１０の外周壁部１１６の下端部１１６ｂに突き当たるようになっている。
【００５９】
図３に示したように、下部フレーム１２０の下部平面部１２１に形成されたネジ挿通孔１２０ｈと、上部フレーム１１０の上部平面部１１１に形成されたネジ挿通孔１１０ｈとを貫通した取付ネジ４９が、支持脚取付ブラケット５０の支持脚取付部５３の下端部に形成されたネジ穴５３ｈにねじ込まれている。これにより、上記支持脚部材１００Ａは、支持脚取付部５３に連結固定されている。このように支持脚部材１００Ａを支持脚取付ブラケット５０に装着した状態で、各キャスター部材１３０は、ローラ１３８の一部がケース１３１から下方に突出して床面に接地する。これにより、支持脚部材１００Ａが、床面上で走行移動可能とされている。
【００６０】
上述したようなスタンドパネル１０においては、パネル体１１の支持脚部材１００Ａは、床面に対して立設されるパネル体１１を支持する。また、支持脚部材１００Ａは、パネル体１１の表面に交差する方向に延び、床面に沿って配置される上部フレーム１１０および下部フレーム１２０と、上部フレーム１１０においてパネル体１１から離間した側の端部１１０ａ，１１０ｂに設けられ、床面に接地するローラ１３８を有したキャスター部材１３０と、上部フレーム１１０の上部平面部１１１に連続してパネル体１１から離間する方向に突出して形成され、キャスター部材１３０の上方を覆うように設けられた板状の支持プレート部１１５と、を備える。
【００６１】
このように、支持プレート部１１５は、上部フレーム１１０および下部フレーム１２０の上部平面部１１１に連続して形成され、その下側にキャスター部材１３０が配置されるので、支持脚部材１００Ａの高さを抑えることが可能となる。
また、支持プレート部１１５は、キャスター部材１３０の上方を覆うように設けられた板状であるので、開口部が形成されて環状をなした従来の取付板に比較し、支持脚部材１００Ａにおいてキャスター部材１３０を支持する部分の強度を高めることができる。また、支持プレート部１１５は、強度を確保するためにキャスター部材１３０に対して外周側に張り出させる必要も無い。
その結果、パネル体１１の安定性を損なうことなく、支持脚部材１００Ａの高さを有効に抑えつつ、外観を向上させるとともに歩行や周囲に物品を置く際に妨げとなるのを防ぐことができる。
【００６２】
また、キャスター部材１３０は、支持プレート部１１５に下方から突き当たった状態で設けられる。
このように、キャスター部材１３０と支持プレート部１１５とが突き当たることで、キャスター部材１３０と支持プレート部１１５との間で、鉛直方向の力が直接伝達される。これにより、支持脚部材１００Ａは、パネル体１１が倒れる方向の力や、支持脚部材１００Ａが踏まれる等の上方から作用する力に対し、高い強度を確保することができる。
【００６３】
また、支持プレート部１１５は、支持プレート部１１５から下方に向けて延び、支持プレート部１１５の外周部に沿って連続して形成された外周壁部１１６を一体に備える。
このように構成することで、外周壁部１１６により、板状の支持プレート部１１５が補強される。したがって、支持脚部材１００Ａにおいてキャスター部材１３０を支持する部分の強度をさらに高めることができる。
【００６４】
さらに、キャスター部材１３０の上部が、外周壁部１１６の内側に収容される。このように、外周壁部１１６の内側にキャスター部材１３０の上部が収容されることで、支持脚部材１００Ａの高さを抑えつつ、支持脚部材１００Ａの強度を確保することができる。
【００６５】
また、キャスター部材１３０は、上部フレーム１１０および下部フレーム１２０よりもパネル体１１から離間する側に突出するバンパー部１３４を有する。このように構成することで、支持脚部材１００Ａの端部１１０ａ，１１０ｂが、壁や柱、床上に置かれた他の物品等にぶつかった際に、損傷するのを抑えることができる。さらに、キャスター部材１３０にバンパー部１３４を備えることで、部品点数を抑えることができる。
【００６６】
さらに、上述したパネル体１１によれば、支持脚部材１００Ａは、支持脚取付ブラケット５０の下部支持部５１および側部支持部５２が、パネル基材１２の下部端部１２Ｐおよび側部下端部１２Ｑで溝２５内に収容されている。このように、支持脚取付ブラケット５０の一部が溝２５内に収容されることで、支持脚部材１００Ａの取付部分が目立たなくなる。
【００６７】
さらに、上述したパネル体１１によれば、パネル基材１２およびクッション材１３を覆う表皮材１４が、パネル体１１の外周部において、パネル基材１２の外周縁部を回り込んで溝２５の内側に巻き込まれている。このため、パネル体１１の外周部は、パネル基材１２が露出することなく、表皮材１４で覆われることになる。
さらに、表皮材１４は、溝２５内で固定部材３０により固定されるため、固定部材３０がパネル体１１の外周部に露出するのを抑えることができる。
これにより、パネル体１１の外観を、柔軟で有機的な印象とすることができる。
【００６８】
さらに、上述したパネル体１１においては、クッション材１３の外周端部１３ｅが、表皮材１４とともに、パネル基材１２の外周縁部で溝２５の内側に巻き込まれている。このように、表皮材１４だけでなく、表皮材１４によって覆われるクッション材１３も、パネル基材１２の外周縁部を回り込んで溝２５の内側に巻き込まれているので、パネル体１１の外周部が、より柔軟な印象の外観となる。
【００６９】
（第２の実施形態）
次に、本発明にかかるパネル体の支持脚部材、什器の第２の実施形態について説明する。なお、以下に説明する第２の実施形態においては、支持脚部材１００Ｂの構成が上記第１の実施形態で示した支持脚部材１００Ａの構成と異なるのみで、パネル体１１や支持脚取付ブラケット５０等の構成は上記第１の実施形態と同様である。したがって、以下の説明においては、上記第１の実施形態と共通する構成については図中に同符号を付してその説明を省略する。
図９は、第２の実施形態にかかる支持脚部材の一部を斜め下方から見た図である。
図９に示すように、パネル体１１の支持脚部材１００Ｂは、フレーム部１５０と、フレーム部１５０の両端部（先端部）１５０ａ，１５０ｂにそれぞれ設けられたキャスター部材１６０と、を備えている。
【００７０】
フレーム部１５０は、支持脚部材１００Ｂの長手方向に連続する角管状をなしており、上部平面部１５１と、側部平面部１５２と、下部平面部１５３と、を一体に備えている。
上部平面部１５１は、支持脚部材１００Ｂの上面を形成する。側部平面部１５２は、上部平面部１５１の幅方向両側から、それぞれ上部平面部１５１に直交して下方に向かって垂下して形成されている。
下部平面部１５３は、支持脚部材１００Ｂの下面を形成する。下部平面部１５３は、上部平面部１５１と平行に設けられ、幅方向両側の側部平面部１５２，１５２の下端同士を連結する。
【００７１】
フレーム部１５０の上部平面部１５１には、フレーム部１５０の長手方向中央部に、支持脚部材１００Ｂを支持脚取付ブラケット５０に取り付けるためのネジ挿通孔（図示なし）が形成されている。
【００７２】
フレーム部１５０の両端部１５０ａ，１５０ｂには、それぞれ、支持プレート部（キャスター支持部）１５５が形成されている。支持プレート部１５５は、上部平面部１５１に連続し、側部平面部１５２の端部１５２ｂに対し、フレーム部１５０の長手方向外方に向かって突出するよう形成されている。この支持プレート部１５５は、平面視半円状をなしている。
【００７３】
フレーム部１５０の両端部１５０ａ，１５０ｂには、それぞれ凹部１５６が形成されている。凹部１５６は、フレーム部１５０の下部平面部１５３に形成されて、フレーム部１５０の長手方向中央部に向けて、平面視半円状に形成されている。
【００７４】
キャスター部材１６０は、ケース１６１と、キャスター本体１６２と、を備えている。
【００７５】
ケース１６１は、樹脂系材料から形成されている。ケース１６１は、ケース本体１６３と、バンパー部１６４と、保持凹部１６５と、を備えている。
【００７６】
ケース本体１６３は、その一端側にフレーム部１５０内に挿入される挿入ブロック部（挿入部）１６３ｂを備えている。挿入ブロック部１６３ｂは、フレーム部１５０内に形成された中空部１５０ｓに挿入可能な断面矩形状を有している。挿入ブロック部１６３ｂの下面にはネジ穴１６３ｈが形成されている。フレーム部１５０の下部平面部１５３には、ネジ挿通孔１５３ｈが形成され、このネジ挿通孔１５３ｈを通して固定ネジ１５７をネジ穴１６３ｈにねじ込むことで、ケース本体１６３はフレーム部１５０の両端部１５０ａ，１５０ｂに固定される。
【００７７】
ケース本体１６３の他端部には、下方から見た形状が円筒状の保持壁部１６６が形成されている。保持壁部１６６において、ケース本体１６３の他端側の外周側に、バンパー部１６４が一体に形成されている。バンパー部１６４は、挿入ブロック部１６３ｂをフレーム部１５０内に挿入した状態で、フレーム部１５０の側部平面部１５２，１５２に連続する。
【００７８】
保持壁部１６６の内側に、保持凹部１６５が形成されている。保持凹部１６５は、キャスター部材１６０の下面側に形成されている。保持凹部１６５は、内周形状が円形で、その内側にキャスター本体１６２が収容される。
保持凹部１６５は、下方に向けて開口している。保持凹部１６５の上端部は、ケース本体１６３の上面を形成する閉塞板１６３ｐにより閉塞されている。この閉塞板１６３ｐは、挿入ブロック部１６３ｂをフレーム部１５０内に挿入した状態で、支持プレート部１５５に下方から突き当たる。この状態で、保持壁部１６６において、ケース１６１の長手方向中央部側の外周部１６６ａは、凹部１５６に嵌まり込む。
【００７９】
キャスター本体１６２は、板状のベース部１６７と、回転ユニット１６８と、ローラ１６９と、を備えている。
【００８０】
ベース部１６７は、保持凹部１６５内に挿入され、保持凹部１６５の上端部を閉塞する閉塞板１６３ｐに突き当たるよう配置され、図示しないビス等によって底部１６５ｂに固定される。また、ベース部１６７の外周部には、位置決め凹部１６７ａが形成されている。これに対し、閉塞板１６３ｐには、位置決め凸部１６３ｔが形成され、位置決め凸部１６３ｔと位置決め凹部１６７ａとが噛み合うことで、保持凹部１６５内におけるベース部１６７の位置、向きが位置決めされる。
【００８１】
回転ユニット１６８は、ベース部１６７に直交する鉛直軸周りに回転自在に設けられている。この回転ユニット１６８は、その上部が保持凹部１６５内に収容される。
ローラ１６９は、回転ユニット１６８に水平軸周りに回転自在に設けられている。
ローラ１６９は、その下部の一部のみが、回転ユニット１６８から下方に突出させて設けられている。
【００８２】
上記支持脚部材１００Ｂは、上記第１の実施形態の支持脚部材１００Ａと同様、フレーム部１５０の上部平面部１５１に形成されたネジ挿通孔１１０ｈ（図３参照）に取付ネジ４９を貫通させ、支持脚取付ブラケット５０の支持脚取付部５３の下端部に形成されたネジ穴５３ｈにねじ込むことで、支持脚取付部５３に連結固定されている。このように支持脚部材１００Ｂを支持脚取付ブラケット５０に装着した状態で、各キャスター部材１６０は、ローラ１６９の一部が下方に突出して床面に接地する。これにより、支持脚部材１００Ｂが、床面上で走行移動可能とされている。
【００８３】
上述したように、パネル体１１の支持脚部材１００Ｂは、床面に対して立設されるパネル体１１を支持する支持脚部材１００Ｂであって、パネル体１１の表面に交差する方向に延び、床面に沿って配置されるフレーム部１５０と、フレーム部１５０においてパネル体１１から離間した側の端部１５０ａ，１５０ｂに設けられ、床面に接地するローラ１６９を有したキャスター部材１６０と、フレーム部１５０の上面部に連続してパネル体１１から離間する方向に突出して形成され、キャスター部材１６０の上方を覆うように設けられた板状の支持プレート部１５５と、を備える。
【００８４】
このように、支持プレート部１５５は、フレーム部１５０の上面部に連続して形成され、その下側にキャスター部材１６０が配置されるので、支持脚部材１００Ｂの高さを抑えることが可能となる。
また、支持プレート部１５５は、キャスター部材１６０の上方を覆うように設けられた板状であるので、開口部が形成されて環状をなした従来の取付板に比較し、支持脚部材１００Ｂにおいてキャスター部材１３０を支持する部分の強度を高めることができる。また、支持プレート部１５５は、強度を確保するためにキャスター部材１３０に対して外周側に張り出させる必要も無い。
その結果、パネル体１１の支持脚部材１００Ｂによれば、パネル体１１の安定性を損なうことなく、支持脚部材１００Ｂの高さを有効に抑えつつ、外観を向上させるとともに歩行や周囲に物品を置く際に妨げとなるのを防ぐことができる。
【００８５】
また、キャスター部材１６０は、支持プレート部１５５に下方から突き当たった状態で設けられる。このように、キャスター部材１６０と支持プレート部１５５とが突き当たることで、キャスター部材１６０と支持プレート部１５５との間で、鉛直方向の力が直接伝達される。これにより、支持脚部材１００Ｂは、パネル体１１が倒れる方向の力や、支持脚部材１００Ｂが踏まれる等の上方から作用する力に対し、高い強度を確保することができる。これによっても、支持脚部材１００Ｂにおいてキャスター部材１３０を支持する部分の強度を高めることができる。
【００８６】
また、フレーム部１５０は、管状をなし、キャスター部材１６０は、フレーム部１５０の端部からフレーム部１５０内に挿入される挿入ブロック部１６３ｂをさらに備える。
このように、キャスター部材１６０の挿入ブロック部１６３ｂがフレーム部１５０内に挿入されることで、キャスター部材１６０を、フレーム部１５０に対して、より強固に固定することができる。これによっても、支持脚部材１００Ｂにおいてキャスター部材１３０を支持する部分の強度を高めることができる。
【００８７】
さらに、フレーム部１５０の下部平面部１５３に、フレーム部１５０の長手方向中央部側に凹となる凹部１５６が形成され、この凹部１５６にキャスター部材１６０の保持壁部１６６の外周部１６６ａが嵌まり込んでいる。これにより、キャスター部材１６０を、フレーム部１５０の長手方向中央部に配置して支持脚部材１００Ｂの短縮化を図ることができる。
【００８８】
また、キャスター部材１６０は、フレーム部１５０よりもパネル体１１から離間する側に突出するバンパー部１６４を有する。
このように構成することで、支持脚部材１００Ｂの端部１５０ａ，１５０ｂが、壁や柱、床上に置かれた他の物品等にぶつかった際に、損傷するのを抑えることができる。さらに、キャスター部材１６０にバンパー部１６４を備えることで、部品点数を抑えることができる。
【００８９】
（その他の実施形態）
なお、本発明は、図面を参照して説明した上述の各実施形態に限定されるものではなく、その技術的範囲において様々な変形例が考えられる。
例えば、上記実施形態では、パネル体１１の構造を示したが、いかなる構造のものであってもよい。
例えば、クッション材１３および表皮材１４の外周端部１３ｅ，１４ｅが、パネル基材１２を構成する各枠材２１Ａ，２１Ｂ，２１Ｃ，２１Ｄの側壁部２１ｆを回り込んで、溝２５内に巻き込まれている。しかし、クッション材１３を、パネル基材１２の外周寸法よりも小さくして、表皮材１４のみを溝２５内に巻き込むようにしてもよい。
さらに、上記実施形態で示したような表皮構造は、パネル基材１２の両面に形成するとは限らず、パネル基材１２の一面側にのみ形成するようにしてもよい。
【００９０】
加えて、上記実施形態では、クッション材１３、表皮材１４、凹部１７を備えるようにしたが、これらは必須の構成ではない。図１０に示すように、クッション材１３、表皮材１４、凹部１７を備えない、硬質材料からなるパネル体２００を什器本体とし、支持脚部材１００Ａ，１００Ｂでパネル体２００の下端部を支持するようにしてもよい。
さらに、支持脚部材で支持する什器本体は、パネル体１１，２００に限らず、他の種の什器であってもよい。
これ以外にも、本発明の主旨を逸脱しない限り、上記実施の形態で挙げた構成を取捨選択したり、他の構成に適宜変更したりすることが可能である。
【符号の説明】
【００９１】
１０  スタンドパネル（什器）
１１  パネル体（什器本体）
１１ｓ  外周端部
１２  パネル基材
１３  クッション材
１４  表皮材
１５  芯材
１７  凹部
２０  フレーム
４９  取付ネジ
５０  支持脚取付ブラケット
１００Ａ，１００Ｂ  支持脚部材
１１０  上部フレーム（フレーム部）
１１０ａ，１１０ｂ  端部（先端部）
１１５  支持プレート部（キャスター支持部）
１１６  外周壁部
１２０  下部フレーム（フレーム部）
１３０  キャスター部材
１３４  バンパー部
１３８  ローラ
１５０  フレーム部
１５０ａ，１５０ｂ  端部（先端部）
１５５  支持プレート部（キャスター支持部）
１６０  キャスター部材
１６３ｂ  挿入ブロック部（挿入部）
１６４  バンパー部
１６９  ローラ
【図１】
0006455969.tif 000002
【図２】
0006455969.tif 000003
【図３】
0006455969.tif 000004
【図４】
0006455969.tif 000005
【図５】
0006455969.tif 000006
【図６】
0006455969.tif 000007
【図７】
0006455969.tif 000008
【図８】
0006455969.tif 000009
【図９】
0006455969.tif 000010
【図１０】
0006455969.tif 000011